(57)【要約】      （修正有）【課題】携帯電話機の脱落を防止でき、かつ、携帯電話機の出し入れが容易な携帯電話機収納用胸ポケットを備えた衣服を提供する。【解決手段】衣服Ａは、衣服前身頃の胸部にポケットａを備えた衣服であって、該ポケットは、衣服前身頃外側の胸部に形成した開口部１０と、該開口部から衣服の内側に連設された収納部２０とからなり、該収納部が伸縮性を有する有底の筒状体２１にて形成され、該筒状体は、携帯電話機Ｂを収納するときには筒状体に押し込まなければならない程度にその周長が携帯電話機の周長よりも短く形成され、携帯電話機を収納したときに筒状体の収縮力によって携帯電話機が筒状体に強く把持されて筒状体内でずれ動くことがないように構成し、該筒状体の底部が衣服前身頃内側に紐３０を介して縫着されてなるものである。【選択図】図３
0003147437.tif 000002
【実用新案登録請求の範囲】
【請求項１】
衣服前身頃の胸部にポケットを備えた衣服であって、該ポケットは、衣服前身頃外側の胸部に形成した開口部と、該開口部から衣服の内側に連設された収納部とからなり、該収納部が伸縮性を有する有底の筒状体にて形成され、該筒状体は、携帯電話機を収納するときには筒状体に押し込まなければならない程度にその周長が携帯電話機の周長よりも短く形成され、携帯電話機を収納したときに筒状体の収縮力によって携帯電話機が筒状体に強く把持されて筒状体内でずれ動くことがないように構成し、該筒状体の底部が衣服前身頃内側に直接的に又は間接的に縫着されてなることを特徴とする携帯電話機収納用胸ポケットを備えた衣服。
【請求項２】
筒状体が筒状ネットにより形成されてなることを特徴とする請求項１に記載の携帯電話機収納用胸ポケットを備えた衣服。
【請求項３】
筒状体が防水性布帛により形成されてなることを特徴とする請求項１に記載の携帯電話機収納用胸ポケットを備えた衣服。
【請求項４】
筒状体がポケットの深さ方向には伸縮せず、ポケットの周方向にのみ伸縮することを特徴とする請求項１〜３のいずれか１項に記載の携帯電話機収納用胸ポケットを備えた衣服。
【請求項５】
筒状体が筒状ネットに伸縮性布帛を内装した積層素材により構成されてなることを特徴とする請求項１、２又は４のいずれか１項に記載の携帯電話機収納用胸ポケットを備えた衣服。
【請求項６】
筒状体が筒状ネットに防水性布帛を内装した積層素材により構成されてなることを特徴とする請求項１〜４のいずれか１項に記載の携帯電話機収納用胸ポケットを備えた衣服。
【考案の詳細な説明】
【技術分野】
【０００１】
本考案は、携帯電話機を収納するための胸ポケットを備えた衣服に関し、特に前屈みになった場合でも、携帯電話機が脱落しない胸ポケットを備えた衣服に関する。
【背景技術】
【０００２】
従来より、衣服の胸ポケットについて携帯電話機の脱落防止の工夫を施したポケットが種々開発されている。
【考案の開示】
【考案が解決しようとする課題】
【０００３】
しかし、上記従来の脱落防止の工夫を施した携帯電話機収納用胸ポケットは、未だ完全なものではなく、前屈みになるとポケットから滑り落ちてしまうか、携帯電話機の出し入れに手間が掛かるか、又は、ポケットに大層な工夫を施したもので高い製造コストの要するものであった。
【０００４】
そこで、本考案者は、鋭意研究を重ね、コストの要しない簡単な改良により、携帯電話機の脱落を完全に防止でき、かつ、携帯電話機の出し入れに手間が掛からない携帯電話機収納用胸ポケットを備えた衣服を考案した。
【課題を解決するための手段】
【０００５】
本考案に係る携帯電話機収納用胸ポケットを備えた衣服は、衣服前身頃の胸部にポケットを備えた衣服であって、該ポケットは、衣服前身頃外側の胸部に形成した開口部と、該開口部から衣服の内側に連設された収納部とからなり、該収納部が伸縮性を有する有底の筒状体にて形成され、該筒状体は、携帯電話機を収納するときには筒状体に押し込まなければならない程度にその周長が携帯電話機の周長よりも短く形成され、携帯電話機を収納したときに筒状体の収縮力によって携帯電話機が筒状体に強く把持されて筒状体内でずれ動くことがないように構成し、該筒状体の底部が衣服前身頃内側に直接的に又は間接的に縫着されてなることを特徴とするものである。
【０００６】
また、前記の構成における筒状体が筒状ネットにより形成されてなる構成としてもよい。
【０００７】
さらに、前記の構成における筒状体が防水性布帛により形成されてなる構成としてもよい。
【０００８】
さらにまた、前記の構成における筒状体がポケットの深さ方向には伸縮せず、ポケットの周方向にのみ伸縮する構成としてよい。
【０００９】
また、前記の構成における筒状体が筒状ネットに伸縮性布帛を内装した積層素材により構成してもよい。
【００１０】
さらに、前記の構成における筒状体が筒状ネットに防水性布帛を内装した積層素材により構成してもよい。
【考案の効果】
【００１１】
本考案に係る携帯電話機収納用胸ポケットを備えた衣服は、上記のように構成したことにより、携帯電話機の脱落を完全に防止でき、かつ、携帯電話機の出し入れに手間が掛からない利点がある。
【考案を実施するための最良の形態】
【００１２】
以下に本考案の好適な実施例を図１〜図６に基いて詳細に説明する。
【実施例】
【００１３】
図１は携帯電話機収納用胸ポケットを備えた衣服の正面図であり、図２は胸ポケットを設けた衣服の内側の要部拡大図であり、図３は胸ポケットに携帯電話機を収納する状態を示す衣服の正面要部拡大図であり、図４は胸ポケットに携帯電話機を収納した状態を示す衣服の正面要部拡大図であり、図５は胸ポケットの断面図であり、図６は携帯電話機を収納した状態を示す胸ポケットの断面図であり、図７は携帯電話機を収納する状態を示す胸ポケット内側の斜視図であり、図８は携帯電話機を収納した状態を示す胸ポケット内側の斜視図である。
【００１４】
図１〜４において、Ａは衣服であり、ａは携帯電話機収納用の胸ポケットである。胸ポケットａは、衣服Ａの前身頃の胸部に備えられており、図５及び図６に示すように、衣服Ａの前身頃の外側の胸部に形成した開口部１０と、該開口部１０から衣服Ａの内側に連設された収納部２０とからなる。そして、図３に示すように、開口部１０から携帯電話機Ｂを挿入し、図４及び図６に示すように、収納部２０内に携帯電話機Ｂを収納する。なお、この収納部２０は、その底部近傍に紐３０の一端を縫着し、紐３０の他端を衣服Ａの前身頃の内側に縫着することにより固定されており、携帯電話機Ｂを収納部２０内に収納した状態においてぶらつくことがないようになっており、また、携帯電話機Ｂが収納部２０内に深く沈み込むことを防止している。
【００１５】
該収納部２０は、図７及び図８に示すように、伸縮性を有する有底の筒状ネットよりなる筒状体２１にて形成されている。そして、該筒状体２１は、携帯電話機Ｂを収納するときには、図７に示すように、筒状体２１に押し込まなければならない程度にその周長が携帯電話機Ｂの周長よりも短く形成されている。したがって、携帯電話機Ｂを収納したときには、図８に示すように、筒状体２１の収縮力によって携帯電話機Ｂが筒状体２１に強く把持されて筒状体２１内でずれ動くことがないように構成されている。なお、この要件を満たすものであれば、筒状体２１は、筒状ネットに限られものではなく、編地や織地の他、防水性布帛や筒状ネットに防水性布帛を内装した積層素材、又は、筒状ネットに伸縮性布帛を内装した積層素材などを使用してもよく、防水性布帛や筒状ネットに防水性布帛を内装した積層素材を使用すれば、携帯電話機に対して防水効果があり、筒状ネットに伸縮性布帛を内装した積層素材を使用すれば、携帯電話機用ストラップの飾り具などがネットに引っ掛かること防止できる。また、筒状体がポケットの深さ方向には伸縮せず、ポケットの周方向にのみ伸縮する構成とすれば、携帯電話機がポケット内において深く沈み込むことがないので、取り出しに便利である。さらに筒状体を構成する伸縮性を有する素材として、ゴム糸などの弾性糸を使用してもよく、その場合には、滑り止め効果があり、さらに携帯電話機の脱落を防止できる。
【００１６】
上記の実施例は、これに限定されるものではなく、実用新案登録請求の範囲に記載した広範囲な実施形態を包含するものである。
【図面の簡単な説明】
【００１７】
【図１】本考案の実施例における携帯電話機収納用胸ポケットを備えた衣服の正面図である。
【図２】本考案の実施例において、胸ポケットを設けた衣服の内側の要部拡大図である。
【図３】本考案の実施例において、胸ポケットに携帯電話機を収納する状態を示す衣服の正面要部拡大図である。
【図４】本考案の実施例において、胸ポケットに携帯電話機を収納した状態を示す衣服の正面要部拡大図である。
【図５】本考案の実施例における胸ポケットの断面図である。
【図６】本考案の実施例において、携帯電話機を収納した状態を示す胸ポケットの断面図である。
【図７】本考案の実施例において、携帯電話機を収納する状態を示す胸ポケット内側の斜視図である。
【図８】本考案の実施例において、携帯電話機を収納した状態を示す胸ポケット内側の斜視図である。
【符号の説明】
【００１８】
Ａ・・・衣服
Ｂ・・・携帯電話機
ａ・・・胸ポケット
１０・・開口部
２０・・収納部
２１・・筒状体
３０・・紐
【図１】
0003147437.tif 000003
【図２】
0003147437.tif 000004
【図３】
0003147437.tif 000005
【図４】
0003147437.tif 000006
【図５】
0003147437.tif 000007
【図６】
0003147437.tif 000008
【図７】
0003147437.tif 000009
【図８】
0003147437.tif 000010